(57)【要約】【課題】外被内にテンションメンバが埋め込まれた光ケーブルをクロージャなどにおいて接続する際の光ケーブル端部の固定を容易かつ確実なものにすることができるとともに、取り出した光ファイバ心線の接続に支障を与えることがなく、また、布設後に心線の引き込みや突き出しがあった場合にも、心線に局所的な曲がりを生じさせることのない光ケーブルの固定構造および固定方法を提供する。【解決手段】光ファイバテープ心線１の外周にテンションメンバ４が埋め込まれた外被３を備えた光ケーブル１１の外被３を長さ方向に引き裂いて内部の光ファイバテープ心線１を露出させ、引き裂かれた外被の端部３ａをテンションメンバ４と一体に光ケーブル１１側に折り曲げもしくは折り返して固定する。【選択図】図１
2007041014.tif 000002
【特許請求の範囲】
【請求項１】
光ファイバ心線の外周にテンションメンバが埋め込まれた外被を備えた光ケーブルの固定構造であって、
前記外被を長さ方向に引き裂いて内部の光ファイバ心線を露出させるとともに、引き裂かれた前記外被の端部をテンションメンバと一体にケーブル本体側に折り曲げもしくは折り返して固定してなることを特徴とする光ケーブルの固定構造。
【請求項２】
前記外被の端部は、該外被の端部が巻き付けられる円筒状巻付け部を有する固定部材によって固定されていることを特徴とする請求項１記載の光ケーブルの固定構造。
【請求項３】
前記外被の端部は複数に分割され、それぞれにテンションメンバが埋め込まれており、これらの分割された外被の端部がそれぞれケーブル本体側に折り曲げられもしくは折り返されて固定されていることを特徴とする請求項１記載の光ケーブルの固定構造。
【請求項４】
複数に分割された外被の端部は、それぞれ円筒状巻付け部を有する固定部材によって固定されていることを特徴とする請求項３記載の光ケーブルの固定構造。
【請求項５】
複数に分割された外被の端部は、共通の固定部材により固定されていることを特徴とする請求項４記載の光ケーブルの固定構造。
【請求項６】
光ケーブルは、スロットレス型光ケーブルであることを特徴とする請求項１乃至６のいずれか１項記載の光ケーブルの固定構造。
【請求項７】
光ケーブルは、光ドロップケーブルであることを特徴とする請求項１乃至６のいずれか１項記載の光ケーブルの固定構造。
【請求項８】
光ファイバ心線の外周にテンションメンバが埋め込まれた外被を備えた光ケーブルの固定方法であって、
前記外被を長さ方向に引き裂いて内部の光ファイバ心線を露出させる工程と、引き裂かれた前記外被の端部をテンションメンバと一体にケーブル本体側に折り曲げもしくは折り返して固定する工程と、を含むことを特徴とする光ケーブルの固定方法。
【発明の詳細な説明】
【技術分野】
【０００１】
本発明は、ケーブル外被内にテンションメンバが埋め込まれた光ケーブルのクロージャ内などにおける固定構造および固定方法に関する。
【背景技術】
【０００２】
近年、インターネットなどが急速に普及するなか、低損失で広帯域の光ファイバを用いた光通信網の構築が進められており、それに伴い様々な光ケーブルが開発されている。その一つに、局から一般家庭などの加入者宅とを結ぶアクセス網を構築する光ケーブルとして、図１０に示すような、複数本の光ファイバ心線を並列させ、その外周に一括被覆を施した光ファイバテープ心線１を１枚もしくは複数枚集合し、その周囲にポリエステル繊維やアラミド繊維などの繊維からなるヤーンを縦添えもしくは撚合わせて緩衝層２を形成し、さらにその外側にポリエチレンなどのプラスチックの押出しにより外被３を施したもの、あるいは、これにさらに支持線を一体に設けて自己支持構造としたものが開発されている（例えば、特許文献１参照。）。外被３内には、それぞれ２本のテンションメンバ４，４と引き裂き紐５，５が縦添えして埋め込まれている。これらの光ケーブルは、従来のスロット型光ケーブルに対し、スロットを持たないことから、スロットレス型光ケーブルと称されており、スロット型光ケーブルに比べ、構造が簡単なうえ、ケーブルの細径化、軽量化を図ることができるなどの特徴を有している。
【０００３】
ところで、このような光ケーブルは、架空、地下あるいは宅内引込み部において、同種もしくは異種のケーブルとクロージャやスプライスボックス内で接続する必要があるが、その際には、外被３内に埋め込んだ引き裂き紐５，５により外被３を引き裂いて、例えば図１０に示すようなＡ−Ａ線に沿った切断面で２分割した後、露出した緩衝層２から内部の光ファイバテープ心線１を取り出し、接続すべき相手側の光ケーブルの光ファイバ心線または光ファイバテープ心線と接続させる。そして、このとき、光ファイバ心線または光ファイバテープ心線の接続部にストレスがかからないようにするために、光ケーブルをクロージャやスプライスボックス内に固定する（例えば、特許文献２参照。）。
【０００４】
この固定方法としては、従来、図１１（ａ）に示すように、２分割した外被の端部からテンションメンバ４を取り出し、それぞれ光ファイバテープ心線１に沿って前方に伸ばし固定する方法、または、同図（ｂ）に示すように、２分割した外被の端部３ａ，３ａをそのまま光ファイバテープ心線１に沿って前方に伸ばし把持固定する方法が用いられている。図１１において、６は、テンションメンバ４を固定するテンションメンバ固定部、７は分割された外被の端部３ａを把持固定する外被固定部、さらに、８は、ケーブル本体を把持固定するケーブル本体固定部を示している。これらの各固定部６、７、８において、テンションメンバ４、外被の端部３ａおよびケーブル本体は、それぞれネジなどを用いて固定される。
【特許文献１】特許第３０６４２８４号公報
【特許文献２】特開平８−２２７０１８号公報
【発明の開示】
【発明が解決しようとする課題】
【０００５】
しかしながら、図１１（ａ）に示した方法では、外被３を剥ぎ取ってテンションメンバ４を露出させる必要があるため作業性に乏しい、また、その際にカッターなどを使用すると、テンションメンバ４が傷付いて強度が低下するおそれがある、テンションメンバ固定部６においても固定部材のエッジなどによりテンションメンバ４が傷付いて強度が低下するおそれがある、取り出された光ファイバテープ心線１の近傍にテンションメンバ４やテンションメンバ固定部６が存在するため、光ファイバテープ心線１の取り回しの自由度が減り、光ファイバテープ心線の接続作業性が低下するとともに、この部分で光ファイバテープ心線１に局所的な曲がりが加わり伝送損失が増大するおそれがあるといった難点があった。
【０００６】
一方、図１１（ｂ）に示した方法では、外被の端部３ａを介してテンションメンバ４を固定しているため、ケーブルに極端な張力が加わった際に、外被の端部３ａが伸びてテンションメンバ４が外被固定部７より引き抜けてしまうおそれがあった。また、取り出された光ファイバテープ心線１の近傍に外被の端部３ａや外被固定部７が存在するため、図１１（ａ）に示した方法と同様、光ファイバテープ心線１の取り回しの自由度が減り、光ファイバテープ心線の接続作業性が低下するとともに、この部分で光ファイバテープ心線１に局所的な曲がりが加わり伝送損失が増大するおそれがあった。
【０００７】
本発明はこのような従来技術の課題に対処してなされたもので、スロットレス型光ケーブルのような外被内にテンションメンバが埋め込まれた光ケーブルをクロージャなどにおいて接続する際の光ケーブル端部の固定を容易かつ確実なものにすることができるとともに、取り出した光ファイバ心線の接続に支障を与えることがなく、また、光ファイバ心線に局所的な曲がりを生じさせることのない光ケーブルの固定構造および固定方法を提供することを目的とする。
【課題を解決するための手段】
【０００８】
上記目的を達成するため、本発明の光ケーブルの固定構造は、光ファイバ心線の外周にテンションメンバが埋め込まれた外被を備えた光ケーブルの固定構造であって、前記外被を長さ方向に引き裂いて内部の光ファイバ心線を露出させるとともに、引き裂かれた前記外被の端部をテンションメンバと一体にケーブル本体側に折り曲げもしくは折り返して固定してなることを特徴とするものである。
【０００９】
また、本発明の光ファイバの固定方法は、光ファイバ心線の外周にテンションメンバが埋め込まれた外被を備えた光ケーブルの固定方法であって、前記外被を長さ方向に引き裂いて内部の光ファイバ心線を露出させる工程と、引き裂かれた前記外被の端部をテンションメンバと一体にケーブル本体側に折り曲げもしくは折り返して固定する工程とを含むことを特徴とするものである。
【発明の効果】
【００１０】
本発明の光ケーブルの固定構造および固定方法によれば、引き裂かれた外被の端部をテンションメンバと一体にケーブル本体側に折り曲げもしくは折り返して固定しているので、光ファイバ心線の取り回しの自由度が増し、心線の接続作業性を向上させることができるとともに、光ファイバ心線に局所的な曲がりを生じることがなく、これに起因する伝送損失の増加を防止することができる。
【発明を実施するための最良の形態】
【００１１】
以下、本発明の実施の形態を図面を用いて説明する。
【００１２】
図１は本発明の光ケーブルの固定構造の一実施形態を概略的に示す平面図である。
図１において、１１は、例えば図１０に示したスロットレス型光ケーブルのように、光ファイバテープ心線１の外周に外被３が設けられ、その外被３内に２本のテンションメンバ４が埋め込まれた光ケーブルである。本実施形態では、このような光ケーブル１１の外被３を、それぞれにテンションメンバ４が埋設されるように長さ方向に引き裂いて２分割し、内部の光ファイバテープ心線１を露出させるとともに、その２分割した外被の端部３ａ，３ａをそれぞれ光ケーブル１１側にガイド柱１２，１２を支点に折り返し、光フケーブル１１を把持固定するケーブル本体固定部１３の近傍で固定部材１４，１４により固定した構造となっている。
【００１３】
固定部材１４は、図２の斜視図に示すように、分割した外被の端部３ａが巻き付けられる円筒状巻付け部１５を有し、その一端側には外被の端部３ａの先端が挿入されこれを係止する溝１６が設けられている。分割した外被の端部３ａはこのような固定部材１４の円筒状巻付け部１５に巻き付け、その先端を溝１６に挿入係止させることによって固定される。なお、外被の端部３ａの先端を係止させる手段は特にこのような溝１６に限定されるものではない。これらの固定部材１４は図示しない固定手段により予め所定の場所に固定されている。
【００１４】
本実施形態においては、テンションメンバ４を外被３から取り出さずに固定するため、テンションメンバ４を外被３から取り出す作業に伴う作業性の低下やテンションメンバ４の損傷、さらにはケーブル本体固定部１３におけるテンションメンバ４の損傷が防止される。また、外被３から取り出された光ファイバテープ心線１の側方には、テンションメンバ４やその固定部が存在しないため、光ファイバテープ心線１は自在に取り回しが可能であり、光ファイバテープ心線の接続作業性を向上させることができるとともに、この部分で光ファイバテープ心線１に局所的な曲がりが加わることがなく、それに起因する伝送損失の増大を防止することができる。さらに、外被の端部３ａは、固定部材１４の円筒状巻付け部１５に巻き付けられて固定されており、固定部材１４と外被の端部３ａの接触長が長いため、光ケーブル１１に極端な張力が加わることがあっても、テンションメンバ４の固定が外れることはなく、光ファイバテープ心線１の接続部への影響を確実に防止することができる。
【００１５】
なお、本発明は、以上説明した実施形態に限定されるものではなく、例えば、上記実施形態では、分割した外被の端部３ａをそれぞれ光ケーブル１１側にガイド柱１２を支点に折り返し、ケーブル本体固定部１３の近傍で固定しているが、例えば、図３に示すように、光ケーブル１１の側方、すなわち、ケーブル軸にほぼ直交する方向に折り曲げて固定するようにしてもよい。
【００１６】
また、図４に示すように、ガイド柱１２の位置に固定部材１４を配置し、ガイド柱１２を介さず、固定部材１４の円筒状巻付け部１５に直接巻き付けて固定するようにしてもよい。この構成によれば、図１や図３に示した構成のものに比べ、光ケーブル１１をよりコンパクトに固定することができる利点を有する。
【００１７】
さらに、図５に示すように、ケーブル本体固定部１３の近傍に１つの固定部材１４を配置し、これに分割した外被の端部３ａをともに巻き付けて固定するようにしてもよく、図４に示したものに比べ若干劣るものの、図１や図３に示したものに比べ、光ケーブルをコンパクトに固定することができる。
【００１８】
なお、本発明は、図１０に示したような、複数本の光ファイバ心線を並列させその外周に一括被覆を施した光ファイバテープ心線１を１枚もしくは複数枚積層し、その周囲に緩衝層２を設け、さらに外側に外被３を施すとともに、外被３内に２本のテンションメンバ４が埋め込まれたスロットレス型光ケーブルに限らず、光ファイバ心線として、１枚もしくは複数枚の光ファイバテープ心線または１本もしくは複数本の単心光ファイバ心線の外周にテンションメンバが埋め込まれた外被を備えたものであれば広く適用可能である。
【００１９】
具体的には、図６に示すような、図１０に示す光ケーブルの光ファイバテープ心線１に代えて単心光ファイバ心線１７を用いたもの、図７に示すような、図１０や図６に示したケーブルにさらに支持線１８を設けて自己支持構造としたもの、さらに、図８や図９に示すような、光ファイバ心線１の両側にテンションメンバ４を配置し、これらの外周に外被３を一括被覆した光インドアケーブルや、これにさらに支持線１８を設け自己支持構造とした光ドロップケーブルなどが例示される。
【図面の簡単な説明】
【００２０】
【図１】本発明の一実施形態を概略的に示す平面図である。
【図２】本発明に使用される固定部材を概略的に示す斜視図である。
【図３】本発明の他の実施形態を概略的に示す平面図である。
【図４】本発明の他の実施形態を概略的に示す平面図である。
【図５】本発明の他の実施形態を概略的に示す平面図である。
【図６】本発明が適用される光ケーブルの一例を示す断面図である。
【図７】本発明が適用される光ケーブルの他の例を示す断面図である。
【図８】本発明が適用される光ケーブルの他の例を示す断面図である。
【図９】本発明が適用される光ケーブルの他の例を示す断面図である。
【図１０】従来の光ケーブルの例を示す断面図である。
【図１１】従来の光ケーブルの固定方法を説明する図である。
【符号の説明】
【００２１】
１…光ファイバテープ心線、２…緩衝層、３…外被、３ａ…外被の端部、４…テンションメンバ、５…引き裂き紐、１１…光ケーブル、１３…ケーブル本体固定部、１４…固定部材、１５…円筒状巻付け部、１６…溝、１７…単心光ファイバ心線
【図１】
2007041014.tif 000003
【図２】
2007041014.tif 000004
【図３】
2007041014.tif 000005
【図４】
2007041014.tif 000006
【図５】
2007041014.tif 000007
【図６】
2007041014.tif 000008
【図７】
2007041014.tif 000009
【図８】
2007041014.tif 000010
【図９】
2007041014.tif 000011
【図１０】
2007041014.tif 000012
【図１１】
2007041014.tif 000013